(57)【要約】      （修正有）【課題】  テレビ画面映像から、インターネット上の画像データベース情報を検索し、放送と連動した関連情報を簡易な操作で提供する。【解決手段】  番組関連情報の管理装置と当該管理装置とネットワークにより互いに接続された端末装置とにより構成された関連情報取得システムにおいて、端末装置は番組放送中に提示され当該番組を特定するための提示データを取得する手段と取得データの特徴を解析する手段と、解析結果の特徴情報と、番組放送の放送時間を特定する時間情報とを管理装置に送信する特徴情報送信手段と、番組放送に関する関連情報であって、取得した提示データと時間情報とで特定される番組放送に関する特定関連情報受信手段とを有し、管理装置は端末装置から送信された特徴情報及び時間情報に基づいて特定関連情報を取得する手段と、取得した特定関連情報を端末装置に送信する特定関連情報送信手段とを有することを特徴とする関連情報取得システム。【選択図】  図１
2006270869.tif 000002
【特許請求の範囲】
【請求項１】
番組放送に関する関連情報を管理する管理装置と、当該管理装置とネットワークにより互いに接続された端末装置と、により構成された関連情報取得システムにおいて、
前記端末装置は、
前記番組放送中に提示されている提示データであって、当該番組放送を特定するための提示データを取得する提示データ取得手段と、
取得された前記提示データの特徴を解析する特徴解析手段と、
解析の結果取得された前記提示データの特徴情報と、前記番組放送の放送時間を特定するための時間情報と、を前記管理装置に送信する特徴情報送信手段と、
前記番組放送に関する前記関連情報であって、前記提示データ取得手段によって取得した前記提示データと、前記時間情報と、によって特定される前記番組放送に関する関連情報である特定関連情報を受信する特定関連情報受信手段と、を有し、
前記管理装置は、
前記端末装置から送信された前記特徴情報及び前記時間情報に基づいて、前記特定関連情報を取得する特定関連情報取得手段と、
取得した前記特定関連情報を前記端末装置に送信する特定関連情報送信手段と、
を有することを特徴とする関連情報取得システム。
【請求項２】
番組放送に関する関連情報を管理する管理装置と、当該管理装置とネットワークにより互いに接続された端末装置と、により構成された関連情報取得システムにおいて、
前記端末装置は、
前記番組放送中に提示されている提示データであって、当該番組放送を特定する提示データを取得する提示データ取得手段と、
取得した前記提示データと、前記番組放送の放送時間を特定するための時間情報と、を管理装置に送信する情報送信手段と、
前記番組放送に関する前記関連情報であって、前記提示データ取得手段によって取得した前記提示データと、前記時間情報と、によって特定される前記番組放送に関する関連情報である特定関連情報を受信する特定関連情報受信手段と、を有し、
前記管理装置は、
前記端末装置から送信された提示データの特徴を解析する特徴解析手段と、
解析の結果取得された前記提示データの特徴情報と、前記端末装置から送信された時間情報と、に基づいて前記特定関連情報を取得する特定関連情報取得手段と、
取得した前記関連情報を前記端末装置に送信する特定関連情報送信手段と、
を有することを特徴とする関連情報取得システム。
【請求項３】
請求項１又は請求項２に記載の関連情報取得システムにおいて、
前記管理装置は、
前記提示データの特徴を示す特徴情報と、当該番組放送に関する関連情報と、当該番組放送の放送時間と、を夫々の番組放送毎に対応付けて記憶する記憶手段を更に有し、
前記特定関連情報取得手段は、前記記憶手段を参照して前記特徴情報及び前記時間情報とに対応する前記関連情報を特定関連情報として取得することを特徴とする関連情報取得システム。
【請求項４】
請求項１乃至請求項３のいずれか一項に記載の関連情報取得システムにおいて、
当該関連情報取得システムは、前記番組放送を放映する放送受信装置を備え、
前記提示データは、前記番組放送中に前記放送受信装置に表示されている特定マークであり、
前記提示データ取得手段は、前記特定マークを撮影するための撮影手段であることを特徴とする関連情報取得システム。
【請求項５】
請求項４に記載の関連情報取得システムにおいて、
前記特定マークは、前記番組放送を放送する放送局を管理する放送事業者毎に設けられた放送局マーク、又は前記番組放送を特定するために各番組放送毎に設けられた番組マークであることを特徴とする関連情報取得システム。
【請求項６】
請求項４又は請求項５に記載の関連情報取得システムにおいて、
前記特徴情報は、前記特定マークの色特徴情報、又はエッジ特徴情報、又はテクスチャ特徴情報の情報であって、
前記関連情報は、前記番組放送中に放送される放送内容の情報、前記番組放送で紹介される情報に関する情報であることを特徴とする関連情報取得システム。
【請求項７】
請求項１乃至請求項６のいずれか一項に記載の関連情報取得システムにおいて、
前記端末装置は、携帯電話、又は携帯情報端末であることを特徴とする関連情報取得システム。
【請求項８】
番組放送に関する関連情報を管理する管理装置と、当該管理装置とネットワークにより互いに接続された端末装置と、により構成された関連情報取得システムにおける前記管理装置において、
前記番組放送に関する関連情報であって、前記端末装置から送信された前記番組放送中に提示されている提示データを特徴解析して得られた特徴情報と、前記番組放送の放送時間を特定するための時間情報と、によって特定される特定関連情報を取得する特定関連情報取得手段と、
取得した前記特定関連情報を前記端末装置に送信する特定関連情報送信手段と、
を有することを特徴とする管理装置。
【請求項９】
番組放送に関する関連情報を管理する管理装置と、当該管理装置とネットワークにより互いに接続された端末装置と、により構成された関連情報取得システムにおける前記管理装置において、
前記端末装置から送信された前記番組放送中に提示されている提示データの特徴を解析する特徴解析手段と、
解析の結果取得された前記提示データの特徴情報と、前記端末装置から送信された時間情報と、に基づいて前記特定関連情報を取得する特定関連情報取得手段と、
取得した前記関連情報を前記端末装置に送信する特定関連情報送信手段と、
を有することを特徴とする管理装置。
【請求項１０】
請求項８又は請求項９に記載の管理装置において、
前記提示データの特徴を示す特徴情報と、当該番組放送に関する関連情報と、当該番組放送の放送時間と、を夫々の番組放送毎に対応付けて記憶する記憶手段を更に有し、
前記特定関連情報取得手段は、前記記憶手段を参照して前記特徴情報及び前記時間情報とに対応する前記関連情報を特定関連情報として取得することを特徴とする管理装置。
【請求項１１】
請求項８乃至請求項１０のいずれか一項に記載の管理装置において、
前記関連情報取得システムは、前記番組放送を放映する放送受信装置を備え、
前記提示データは、前記番組放送中に前記放送受信装置に表示されている特定マークであり、
前記提示データ取得手段は、前記特定マークを撮影するための撮影手段であることを特徴とする管理装置。
【請求項１２】
請求項１１に記載の管理装置において、
前記特定マークは、前記番組放送を放送する放送局を管理する放送事業者毎に設けられた放送局マーク、又は前記番組放送を特定するために各番組放送毎に設けられた番組マークであることを特徴とする管理装置。
【請求項１３】
請求項１２に記載の管理装置において、
前記記憶手段は、前記特徴情報と、前記関連情報と、前記放送時間と、を夫々の番組放送を放送する前記放送局を管理する放送事業者を他の放送事業者から識別するための放送事業者識別情報と対応付けて記憶し、かつ、
前記放送事業者識別情報と、前記放送局マーク又は前記番組マークと、前記関連情報と、前記放送時間と、の入力指示或いは更新指示を取得する取得手段を有し、
前記特徴解析手段は、取得した前記放送局マーク又は前記番組マークの特徴を解析し、かつ、
前記取得手段によって取得した前記関連情報及び前記放送時間と、前記解析の結果得られた前記特徴情報と、を前記記憶手段に記憶された前記放送事業者識別情報のうち、前記取得手段によって取得した放送事業者識別情報と対応付けて前記記憶手段に記憶させる記憶制御手段と、を更に有することを特徴とする管理装置。
【請求項１４】
請求項１１乃至請求項１３のいずれか一項に記載の管理装置において、
前記特徴情報は、前記特定マークの色特徴情報、又はエッジ特徴情報、又はテクスチャ特徴情報の情報であって、
前記関連情報は、前記番組放送中に放送される放送内容の情報、前記番組放送で紹介される情報に関する情報であることを特徴とする管理装置。
【請求項１５】
請求項８乃至請求項１４のいずれか一項に記載の管理装置において、
前記端末装置は、携帯電話、又は携帯情報端末であることを特徴とする管理装置。
【請求項１６】
番組放送に関する関連情報を管理する管理装置と、当該管理装置とネットワークにより互いに接続された端末装置と、により構成された関連情報取得システムにおける前記端末装置において、
前記番組放送中に提示されている提示データであって、当該番組放送を特定するための提示データの特徴を示す特徴情報と、当該番組放送に関する関連情報と、当該番組放送の放送時間と、を夫々の番組放送毎に対応付けて記憶する記憶手段と、
前記番組放送中に提示されている提示データを取得する提示データ取得手段と、
取得された前記提示データの特徴を解析する特徴解析手段と、
解析の結果取得された前記提示データの特徴情報と、前記番組放送の放送時間を特定するための時間情報と、に基づいて前記記憶手段を参照して前記特徴情報及び前記時間情報とに対応する前記関連情報を特定関連情報として取得する特徴関連情報取得手段と、
を有することを特徴とする端末装置。
【請求項１７】
番組放送に関する関連情報を管理する管理装置と、当該管理装置とネットワークにより互いに接続された端末装置と、により構成された関連情報取得システムにおける関連情報取得方法において、
前記端末装置が、前記番組放送中に提示されている提示データであって、当該番組放送を特定するための提示データを取得する提示データ取得工程と、
取得された前記提示データの特徴を解析する特徴解析工程と、
解析の結果取得された前記提示データの特徴情報と、前記番組放送の放送時間を特定するための時間情報と、を前記管理装置に送信する特徴情報送信工程と、を有し、
前記管理装置が、
前記端末装置から送信された前記特徴情報及び前記時間情報に基づいて、前記特定関連情報を取得する特定関連情報取得工程と、
取得した前記特定関連情報を前記端末装置に送信する特定関連情報送信工程と、を有し、
前記端末装置が、
前記管理装置から送信された前記特定関連情報を受信する特定関連情報受信工程と、
を有することを特徴とする関連情報取得方法。
【請求項１８】
番組放送に関する関連情報を管理する管理装置と、当該管理装置とネットワークにより互いに接続された端末装置と、により構成された関連情報取得システムにおける関連情報取得方法において、
前記端末装置が、
前記番組放送中に提示されている提示データであって、当該番組放送を特定する提示データを取得する提示データ取得工程と、
取得した前記提示データと、前記番組放送の放送時間を特定するための時間情報と、を管理装置に送信する情報送信工程と、を有し、
前記管理装置が、
前記端末装置から送信された提示データの特徴を解析する特徴解析工程と、
解析の結果取得された前記提示データの特徴情報と、前記端末装置から送信された時間情報と、に基づいて前記特定関連情報を取得する特定関連情報取得工程と、
取得した前記関連情報を前記端末装置に送信する特定関連情報送信工程と、を有し、
前記端末装置が、
前記管理装置から送信された前記特定関連情報を受信する特定関連情報受信工程と、
を有することを特徴とする関連情報取得方法。
【請求項１９】
請求項１７又は請求項１８に記載の関連情報取得方法において、
前記管理装置が、
前記提示データの特徴を示す特徴情報と、当該番組放送に関する関連情報と、当該番組放送の放送時間と、を夫々の番組放送毎に対応付けて記憶する記憶工程を予め有し、
前記特定関連情報取得工程は、前記記憶工程にて記憶された情報を参照して前記特徴情報及び前記時間情報とに対応する前記関連情報を特定関連情報として取得することを特徴とする関連情報取得方法。
【請求項２０】
請求項１７乃至請求項１９のいずれか一項に記載の関連情報取得方法において、
前記関連情報取得システムは、前記番組放送を放映する放送受信装置を備え、
前記提示データは、前記番組放送中に前記放送受信装置に表示されている特定マークであり、
前記提示データ取得工程は、前記特定マークを撮影するための撮影工程であることを特徴とする関連情報取得方法。
【請求項２１】
請求項２０に記載の関連情報取得方法において、
前記特定マークは、前記番組放送を放送する放送局毎に設けられた放送局マーク、又は前記番組放送を特定するために各番組放送毎に設けられた番組マークであることを特徴とする関連情報取得方法。
【請求項２２】
請求項２０又は請求項２１に記載の関連情報取得方法において、
前記特徴情報は、前記特定マークの色特徴情報、又はエッジ特徴情報、又はテクスチャ特徴情報の情報であって、
前記関連情報は、前記番組放送中に放送される放送内容の情報、前記番組放送で紹介される情報に関する情報であることを特徴とする関連情報取得方法。
【請求項２３】
請求項１７乃至請求項２２のいずれか一項に記載の関連情報取得方法において、
前記端末装置は、携帯電話、又は携帯情報端末であることを特徴とする関連情報取得方法。
【請求項２４】
番組放送に関する関連情報を管理する管理装置と、当該管理装置とネットワークにより互いに接続された端末装置と、により構成された関連情報取得システムにおける前記管理装置に含まれるコンピュータを、
前記番組放送に関する関連情報であって、前記端末装置から送信された前記番組放送中に提示されている提示データを特徴解析して得られた特徴情報と、前記番組放送の放送時間を特定するための時間情報と、によって特定される特定関連情報を取得する特定関連情報取得手段及び、
取得した前記特定関連情報を前記端末装置に送信する特定関連情報送信手段として機能させることを特徴とする関連情報送信プログラム。
【請求項２５】
番組放送に関する関連情報を管理する管理装置と、当該管理装置とネットワークにより互いに接続された端末装置と、により構成された関連情報取得システムにおける前記管理装置に含まれるコンピュータを、
前記端末装置から送信された前記番組放送中に提示されている提示データの特徴を解析する特徴解析手段、
解析の結果取得された前記提示データの特徴情報と、前記端末装置から送信された時間情報と、に基づいて前記特定関連情報を取得する特定関連情報取得手段及び、
取得した前記関連情報を前記端末装置に送信する特定関連情報送信手段として機能させることを特徴とする関連情報送信プログラム。
【請求項２６】
請求項２４又は請求項２５に記載の関連情報送信プログラムにおいて、
前記コンピュータを、前記提示データの特徴を示す特徴情報と、当該番組放送に関する関連情報と、当該番組放送の放送時間と、を夫々の番組放送毎に対応付けて記憶する記憶手段として機能させ、かつ、
前記特定関連情報取得手段を、前記記憶手段を参照して前記特徴情報及び前記時間情報とに対応する前記関連情報を特定関連情報として取得するよう機能させることを特徴とする関連情報送信プログラム。
【請求項２７】
請求項２４乃至請求項２６のいずれか一項に記載の関連情報送信プログラムにおいて、
前記関連情報取得システムは、前記番組放送を放映する放送受信装置を備え、
前記提示データは、前記番組放送中に前記放送受信装置に表示されている特定マークであり、かつ、
前記提示データ取得手段を、前記特定マークを撮影するための撮影手段として機能させることを特徴とする関連情報送信プログラム。
【請求項２８】
請求項２７に記載の関連情報送信プログラムにおいて、
前記特定マークは、前記番組放送を放送する放送局毎に設けられた放送局マーク、又は前記番組放送を特定するために各番組放送毎に設けられた番組マークであることを特徴とする関連情報送信プログラム。
【請求項２９】
請求項２８に記載の関連情報送信プログラムにおいて、
前記記憶手段を、前記特徴情報と、前記関連情報と、前記放送時間と、を夫々の番組放送を放送する前記放送局を管理する放送事業者を他の放送事業者から識別するための放送事業者識別情報と対応付けて記憶するよう機能させ、かつ、前記コンピュータを、前記放送事業者識別情報と、前記放送局マーク又は前記番組マークと、前記関連情報と、前記放送時間と、の入力指示或いは更新指示を取得する取得手段として機能させ、
前記特徴解析手段を、取得した前記放送局マーク又は前記番組マークの特徴を解析するよう機能させ、かつ、前記コンピュータを、前記取得手段によって取得した前記関連情報及び前記放送時間と、前記解析の結果得られた前記特徴情報と、を前記記憶手段に記憶された前記放送事業者識別情報のうち、前記取得手段によって取得した放送事業者識別情報と対応付けて前記記憶手段に記憶させる記憶制御手段として機能させることを特徴とする関連情報送信プログラム。
【請求項３０】
請求項２７乃至請求項２９のいずれか一項に記載の関連情報送信プログラムにおいて、
前記特徴情報は、前記特定マークの色特徴情報、又はエッジ特徴情報、又はテクスチャ特徴情報の情報であって、
前記関連情報は、前記番組放送中に放送される放送内容の情報、前記番組放送で紹介される情報に関する情報であることを特徴とする関連情報送信プログラム。
【請求項３１】
請求項２４乃至請求項３０のいずれか一項に記載の関連情報送信プログラムにおいて、
前記端末装置は、携帯電話、又は携帯情報端末であることを特徴とする関連情報送信プログラム。
【発明の詳細な説明】
【技術分野】
【０００１】
本発明は、番組放送を視聴している視聴者が、番組放送に関する情報を取得することができる関連情報取得システム等に関する。
【背景技術】
【０００２】
現在急速に普及しているメディア端末として携帯電話があり、ＩＰ（Internet Provider）接続サービスにより手軽にインターネットコンテンツへのアクセスを可能としている。これによりインターネット上の豊富な情報源の中から番組放送の内容や番組自身に関する情報を手軽に取得することができる。このような現状の中、手軽に番組放送と連動したコンテンツの所在情報を取得する方法として二次元バーコードを利用した文献がある（非特許文献１、２）。
【非特許文献１】「テレビ・携帯連動」日本経済新聞 ２００４年１月５日
【非特許文献２】「バーコードで双方向」神奈川新聞 ２００４年８月１日
【発明の開示】
【発明が解決しようとする課題】
【０００３】
しかしながら、二次元バーコードを用いても、視覚的に無意味な模様である二次元バーコードを常時番組放送の画面に表示し続けるのはデザイン上好ましくない等の問題があり、これらを解決し番組放送と通信を連動させる新たな機能開発が求められていた。
【０００４】
本発明は、このような問題に鑑みなされたものであり、放送画面に表示される「レイアウト」や「デザイン」に影響を与えることなく、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することを主たる課題とする。
【課題を解決するための手段】
【０００５】
上記課題を解決すべく、請求項１に記載の発明は、番組放送に関する関連情報を管理する管理装置と、当該管理装置とネットワークにより互いに接続された端末装置と、により構成された関連情報取得システムにおいて、前記端末装置は、前記番組放送中に提示されている提示データであって、当該番組放送を特定するための提示データを取得する提示データ取得手段と、取得された前記提示データの特徴を解析する特徴解析手段と、解析の結果取得された前記提示データの特徴情報と、前記番組放送の放送時間を特定するための時間情報と、を前記管理装置に送信する特徴情報送信手段と、前記番組放送に関する前記関連情報であって、前記提示データ取得手段によって取得した前記提示データと、前記時間情報と、によって特定される前記番組放送に関する関連情報である特定関連情報を受信する特定関連情報受信手段と、を有し、前記管理装置は、前記端末装置から送信された前記特徴情報及び前記時間情報に基づいて、前記特定関連情報を取得する特定関連情報取得手段と、取得した前記特定関連情報を前記端末装置に送信する特定関連情報送信手段と、を有することを特徴とする。
【０００６】
これによれば、放送画面に表示される「レイアウト」や「デザイン」に影響を与えることなく、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【０００７】
また、関連情報を取得する際に、時間情報を加味することによって、特定マークの数を極力減らすことができるため、データベースの容量を少なくすることができる。
【０００８】
更に、端末装置により、特徴解析を行うため、管理装置に送る情報が特徴解析後の特徴情報のみでよいため管理装置に送信する情報量を少なくすることができる。
【０００９】
上記課題を解決すべく、請求項２に記載の発明は、番組放送に関する関連情報を管理する管理装置と、当該管理装置とネットワークにより互いに接続された端末装置と、により構成された関連情報取得システムにおいて、前記端末装置は、前記番組放送中に提示されている提示データであって、当該番組放送を特定する提示データを取得する提示データ取得手段と、取得した前記提示データと、前記番組放送の放送時間を特定するための時間情報と、を管理装置に送信する情報送信手段と、前記番組放送に関する前記関連情報であって、前記提示データ取得手段によって取得した前記提示データと、前記時間情報と、によって特定される前記番組放送に関する関連情報である特定関連情報を受信する特定関連情報受信手段と、を有し、前記管理装置は、前記端末装置から送信された提示データの特徴を解析する特徴解析手段と、解析の結果取得された前記提示データの特徴情報と、前記端末装置から送信された時間情報と、に基づいて前記特定関連情報を取得する特定関連情報取得手段と、取得した前記関連情報を前記端末装置に送信する特定関連情報送信手段と、を有することを特徴とする。
【００１０】
これによれば、放送画面に表示される「レイアウト」や「デザイン」に影響を与えることなく、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００１１】
また、関連情報を取得する際に、時間情報を加味することによって、特定マークの数を極力減らすことができるため、データベースの容量を少なくすることができる。
【００１２】
上記課題を解決すべく、請求項３に記載の発明は、請求項１又は請求項２に記載の関連情報取得システムにおいて、前記管理装置は、前記提示データの特徴を示す特徴情報と、当該番組放送に関する関連情報と、当該番組放送の放送時間と、を夫々の番組放送毎に対応付けて記憶する記憶手段を更に有し、前記特定関連情報取得手段は、前記記憶手段を参照して前記特徴情報及び前記時間情報とに対応する前記関連情報を特定関連情報として取得することを特徴とする。
【００１３】
これによれば、番組放送毎に対応付けて関連情報を記憶させておくことができるため、利用者の所望する関連情報を的確かつ迅速に提供することができる。
【００１４】
上記課題を解決すべく、請求項４に記載の発明は、請求項１乃至請求項３のいずれか一項に記載の関連情報取得システムにおいて、当該関連情報取得システムは、前記番組放送を放映する放送受信装置を備え、前記提示データは、前記番組放送中に前記放送受信装置に表示されている特定マークであり、前記提示データ取得手段は、前記特定マークを撮影するための撮影手段であることを特徴とする。
【００１５】
これによれば、放送画面に表示される「レイアウト」や「デザイン」に影響を与えることなく、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００１６】
上記課題を解決すべく、請求項５に記載の発明は、請求項４に記載の関連情報取得システムにおいて、前記特定マークは、前記番組放送を放送する放送局毎に設けられた放送局マーク、又は前記番組放送を特定するために各番組放送毎に設けられた番組マークであることを特徴とする。
【００１７】
これによれば、特定マークの数を極力減らすことができるため、データベースの容量を少なくすることができる。
【００１８】
上記課題を解決すべく、請求項６に記載の発明は、請求項４又は請求項５に記載の関連情報取得システムにおいて、前記特徴情報は、前記特定マークの色特徴情報、又はエッジ特徴情報、又はテクスチャ特徴情報の情報であって、前記関連情報は、前記番組放送中に放送される放送内容の情報、前記番組放送で紹介される情報に関する情報であることを特徴とする。
【００１９】
これによれば、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００２０】
上記課題を解決すべく、請求項７に記載の発明は、請求項１乃至請求項６のいずれか一項に記載の関連情報取得システムにおいて、前記端末装置は、携帯電話、又は携帯情報端末であることを特徴とする。
【００２１】
これによれば、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００２２】
上記課題を解決すべく、請求項８に記載の発明は、番組放送に関する関連情報を管理する管理装置と、当該管理装置とネットワークにより互いに接続された端末装置と、により構成された関連情報取得システムにおける前記管理装置において、前記番組放送に関する関連情報であって、前記端末装置から送信された前記番組放送中に提示されている提示データを特徴解析して得られた特徴情報と、前記番組放送の放送時間を特定するための時間情報と、によって特定される特定関連情報を取得する特定関連情報取得手段と、取得した前記特定関連情報を前記端末装置に送信する特定関連情報送信手段と、を有することを特徴とする。
【００２３】
これによれば、放送画面に表示される「レイアウト」や「デザイン」に影響を与えることなく、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００２４】
また、関連情報を取得する際に、時間情報を加味することによって、特定マークの数を極力減らすことができるため、データベースの容量を少なくすることができる。
【００２５】
更に、端末装置により、特徴解析を行うため、管理装置に送る情報が特徴解析後の特徴情報のみでよいため管理装置に送信する情報量を少なくすることができる。
【００２６】
上記課題を解決すべく、請求項９に記載の発明は、番組放送に関する関連情報を管理する管理装置と、当該管理装置とネットワークにより互いに接続された端末装置と、により構成された関連情報取得システムにおける前記管理装置において、前記端末装置から送信された前記番組放送中に提示されている提示データの特徴を解析する特徴解析手段と、解析の結果取得された前記提示データの特徴情報と、前記端末装置から送信された時間情報と、に基づいて前記特定関連情報を取得する特定関連情報取得手段と、取得した前記関連情報を前記端末装置に送信する特定関連情報送信手段と、を有することを特徴とする。
【００２７】
これによれば、放送画面に表示される「レイアウト」や「デザイン」に影響を与えることなく、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００２８】
また、関連情報を取得する際に、時間情報を加味することによって、特定マークの数を極力減らすことができるため、データベースの容量を少なくすることができる。
【００２９】
上記課題を解決すべく、請求項１０に記載の発明は、請求項８又は請求項９に記載の管理装置において、前記提示データの特徴を示す特徴情報と、当該番組放送に関する関連情報と、当該番組放送の放送時間と、を夫々の番組放送毎に対応付けて記憶する記憶手段を更に有し、前記特定関連情報取得手段は、前記記憶手段を参照して前記特徴情報及び前記時間情報とに対応する前記関連情報を特定関連情報として取得することを特徴とする。
【００３０】
これによれば、番組放送毎に対応付けて関連情報を記憶させておくことができるため、利用者の所望する関連情報を的確かつ迅速に提供することができる。
【００３１】
上記課題を解決すべく、請求項１１に記載の発明は、請求項８乃至請求項１０のいずれか一項に記載の管理装置において、前記関連情報取得システムは、前記番組放送を放映する放送受信装置を備え、前記提示データは、前記番組放送中に前記放送受信装置に表示されている特定マークであり、前記提示データ取得手段は、前記特定マークを撮影するための撮影手段であることを特徴とする。
【００３２】
これによれば、放送画面に表示される「レイアウト」や「デザイン」に影響を与えることなく、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００３３】
上記課題を解決すべく、請求項１２に記載の発明は、請求項１１に記載の管理装置において、前記特定マークは、前記番組放送を放送する放送局毎に設けられた放送局マーク、又は前記番組放送を特定するために各番組放送毎に設けられた番組マークであることを特徴とする。
【００３４】
これによれば、特定マークの数を極力減らすことができるため、データベースの容量を少なくすることができる。
【００３５】
上記課題を解決すべく、請求項１３に記載の発明は、請求項１２に記載の管理装置において、前記記憶手段は、前記特徴情報と、前記関連情報と、前記放送時間と、を夫々の番組放送を放送する前記放送局を管理する放送事業者を他の放送事業者から識別するための放送事業者識別情報と対応付けて記憶し、かつ、前記放送事業者識別情報と、前記放送局マーク又は前記番組マークと、前記関連情報と、前記放送時間と、の入力指示或いは更新指示を取得する取得手段を有し、前記特徴解析手段は、取得した前記放送局マーク又は前記番組マークの特徴を解析し、かつ、前記取得手段によって取得した前記関連情報及び前記放送時間と、前記解析の結果得られた前記特徴情報と、を前記記憶手段に記憶された前記放送事業者識別情報のうち、前記取得手段によって取得した放送事業者識別情報と対応付けて前記記憶手段に記憶させる記憶制御手段と、を更に有することを特徴とする。
【００３６】
これによれば、放送事業者が放送局マークと関連情報を登録又は更新することができるため、利用者の所望する関連情報を的確に提供することができる。
【００３７】
更に、放送事業者が当該放送事業者を識別する放送事業者識別情報を入力し、放送事業者識別情報をキーとして新たな放送局マーク又は関連情報等を登録したり、或いはこれら放送局マーク又は関連情報と、放送時間等の更新を高セキュリティを維持して確実に行うことができる。
【００３８】
上記課題を解決すべく、請求項１４に記載の発明は、請求項１１乃至請求項１３のいずれか一項に記載の管理装置において、前記特徴情報は、前記特定マークの色特徴情報、又はエッジ特徴情報、又はテクスチャ特徴情報の情報であって、前記関連情報は、前記番組放送中に放送される放送内容の情報、前記番組放送で紹介される情報に関する情報であることを特徴とする。
【００３９】
これによれば、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００４０】
上記課題を解決すべく、請求項１５に記載の発明は、請求項８乃至請求項１４のいずれか一項に記載の管理装置において、前記端末装置は、携帯電話、又は携帯情報端末であることを特徴とする。
【００４１】
これによれば、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００４２】
上記課題を解決すべく、請求項１６に記載の発明は、番組放送に関する関連情報を管理する管理装置と、当該管理装置とネットワークにより互いに接続された端末装置と、により構成された関連情報取得システムにおける前記端末装置において、前記番組放送中に提示されている提示データであって、当該番組放送を特定するための提示データの特徴を示す特徴情報と、当該番組放送に関する関連情報と、当該番組放送の放送時間と、を夫々の番組放送毎に対応付けて記憶する記憶手段と、前記番組放送中に提示されている提示データを取得する提示データ取得手段と、取得された前記提示データの特徴を解析する特徴解析手段と、解析の結果取得された前記提示データの特徴情報と、前記番組放送の放送時間を特定するための時間情報と、に基づいて前記記憶手段を参照して前記特徴情報及び前記時間情報とに対応する前記関連情報を特定関連情報として取得する特徴関連情報取得手段と、を有することを特徴とする。
【００４３】
これによれば、端末装置のみにおいて関連情報取得に関する全ての処理を行うことができるため、ネットワーク等に負荷をかけることなくより迅速に関連情報を取得することができる。
【００４４】
上記課題を解決すべく、請求項１７に記載の発明は、番組放送に関する関連情報を管理する管理装置と、当該管理装置とネットワークにより互いに接続された端末装置と、により構成された関連情報取得システムにおける関連情報取得方法において、前記端末装置が、前記番組放送中に提示されている提示データであって、当該番組放送を特定するための提示データを取得する提示データ取得工程と、取得された前記提示データの特徴を解析する特徴解析工程と、解析の結果取得された前記提示データの特徴情報と、前記番組放送の放送時間を特定するための時間情報と、を前記管理装置に送信する特徴情報送信工程と、を有し、前記管理装置が、前記端末装置から送信された前記特徴情報及び前記時間情報に基づいて、前記特定関連情報を取得する特定関連情報取得工程と、取得した前記特定関連情報を前記端末装置に送信する特定関連情報送信工程と、を有し、前記端末装置が、前記管理装置から送信された前記特定関連情報を受信する特定関連情報受信工程と、を有することを特徴とする。
【００４５】
これによれば、放送画面に表示される「レイアウト」や「デザイン」に影響を与えることなく、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００４６】
また、関連情報を取得する際に、時間情報を加味することによって、特定マークの数を極力減らすことができるため、データベースの容量を少なくすることができる。
【００４７】
更に、端末装置により、特徴解析を行うため、管理装置に送る情報が特徴解析後の特徴情報のみでよいため管理装置に送信する情報量を少なくすることができる。  
【００４８】
上記課題を解決すべく、請求項１８に記載の発明は、番組放送に関する関連情報を管理する管理装置と、当該管理装置とネットワークにより互いに接続された端末装置と、により構成された関連情報取得システムにおける関連情報取得方法において、前記端末装置が、前記番組放送中に提示されている提示データであって、当該番組放送を特定する提示データを取得する提示データ取得工程と、取得した前記提示データと、前記番組放送の放送時間を特定するための時間情報と、を管理装置に送信する情報送信工程と、を有し、前記管理装置が、前記端末装置から送信された提示データの特徴を解析する特徴解析工程と、解析の結果取得された前記提示データの特徴情報と、前記端末装置から送信された時間情報と、に基づいて前記特定関連情報を取得する特定関連情報取得工程と、取得した前記関連情報を前記端末装置に送信する特定関連情報送信工程と、を有し、前記端末装置が、前記管理装置から送信された前記特定関連情報を受信する特定関連情報受信工程と、を有することを特徴とする。
【００４９】
これによれば、放送画面に表示される「レイアウト」や「デザイン」に影響を与えることなく、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００５０】
また、関連情報を取得する際に、時間情報を加味することによって、特定マークの数を極力減らすことができるため、データベースの容量を少なくすることができる。
【００５１】
上記課題を解決すべく、請求項１９に記載の発明は、請求項１７又は請求項１８に記載の関連情報取得方法において、前記管理装置が、前記提示データの特徴を示す特徴情報と、当該番組放送に関する関連情報と、当該番組放送の放送時間と、を夫々の番組放送毎に対応付けて記憶する記憶工程を予め有し、前記特定関連情報取得工程は、前記記憶工程にて記憶された情報を参照して前記特徴情報及び前記時間情報とに対応する前記関連情報を特定関連情報として取得することを特徴とする。
【００５２】
これによれば、番組放送毎に対応付けて関連情報を記憶させておくことができるため、利用者の所望する関連情報を的確かつ迅速に提供することができる。
【００５３】
上記課題を解決すべく、請求項２０に記載の発明は、請求項１７乃至請求項１９のいずれか一項に記載の関連情報取得方法において、前記関連情報取得システムは、前記番組放送を放映する放送受信装置を備え、前記提示データは、前記番組放送中に前記放送受信装置に表示されている特定マークであり、前記提示データ取得工程は、前記特定マークを撮影するための撮影工程であることを特徴とする。
【００５４】
これによれば、放送画面に表示される「レイアウト」や「デザイン」に影響を与えることなく、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００５５】
上記課題を解決すべく、請求項２１に記載の発明は、請求項２０に記載の関連情報取得方法において、前記特定マークは、前記番組放送を放送する放送局毎に設けられた放送局マーク、又は前記番組放送を特定するために各番組放送毎に設けられた番組マークであることを特徴とする。
【００５６】
これによれば、特定マークの数を極力減らすことができるため、データベースの容量を少なくすることができる。
【００５７】
上記課題を解決すべく、請求項２２に記載の発明は、請求項２０又は請求項２１に記載の関連情報取得方法において、前記特徴情報は、前記特定マークの色特徴情報、又はエッジ特徴情報、又はテクスチャ特徴情報の情報であって、前記関連情報は、前記番組放送中に放送される放送内容の情報、前記番組放送で紹介される情報に関する情報であることを特徴とする。
【００５８】
これによれば、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００５９】
上記課題を解決すべく、請求項２３に記載の発明は、請求項１７乃至請求項２２のいずれか一項に記載の関連情報取得方法において、前記端末装置は、携帯電話、又は携帯情報端末であることを特徴とする。
【００６０】
これによれば、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００６１】
上記課題を解決すべく、請求項２４に記載の発明は、番組放送に関する関連情報を管理する管理装置と、当該管理装置とネットワークにより互いに接続された端末装置と、により構成された関連情報取得システムにおける前記管理装置に含まれるコンピュータを、前記番組放送に関する関連情報であって、前記端末装置から送信された前記番組放送中に提示されている提示データを特徴解析して得られた特徴情報と、前記番組放送の放送時間を特定するための時間情報と、によって特定される特定関連情報を取得する特定関連情報取得手段及び、取得した前記特定関連情報を前記端末装置に送信する特定関連情報送信手段として機能させることを特徴とする。
【００６２】
これによれば、放送画面に表示される「レイアウト」や「デザイン」に影響を与えることなく、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００６３】
また、関連情報を取得する際に、時間情報を加味することによって、特定マークの数を極力減らすことができるため、データベースの容量を少なくすることができる。
【００６４】
更に、端末装置により、特徴解析を行うため、管理装置に送る情報が特徴解析後の特徴情報のみでよいため管理装置に送信する情報量を少なくすることができる。  
【００６５】
上記課題を解決すべく、請求項２５に記載の発明は、番組放送に関する関連情報を管理する管理装置と、当該管理装置とネットワークにより互いに接続された端末装置と、により構成された関連情報取得システムにおける前記管理装置に含まれるコンピュータを、前記端末装置から送信された前記番組放送中に提示されている提示データの特徴を解析する特徴解析手段、解析の結果取得された前記提示データの特徴情報と、前記端末装置から送信された時間情報と、に基づいて前記特定関連情報を取得する特定関連情報取得手段及び、取得した前記関連情報を前記端末装置に送信する特定関連情報送信手段として機能させることを特徴とする。
【００６６】
これによれば、放送画面に表示される「レイアウト」や「デザイン」に影響を与えることなく、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００６７】
また、関連情報を取得する際に、時間情報を加味することによって、特定マークの数を極力減らすことができるため、データベースの容量を少なくすることができる。
【００６８】
上記課題を解決すべく、請求項２６に記載の発明は、請求項２４又は請求項２５に記載の関連情報送信プログラムにおいて、前記コンピュータを、前記提示データの特徴を示す特徴情報と、当該番組放送に関する関連情報と、当該番組放送の放送時間と、を夫々の番組放送毎に対応付けて記憶する記憶手段として機能させ、かつ、前記特定関連情報取得手段を、前記記憶手段を参照して前記特徴情報及び前記時間情報とに対応する前記関連情報を特定関連情報として取得するよう機能させることを特徴とする。
【００６９】
これによれば、番組放送毎に対応付けて関連情報を記憶させておくことができるため、利用者の所望する関連情報を的確かつ迅速に提供することができる。
【００７０】
上記課題を解決すべく、請求項２７に記載の発明は、請求項２４乃至請求項２６のいずれか一項に記載の関連情報送信プログラムにおいて、前記関連情報取得システムは、前記番組放送を放映する放送受信装置を備え、前記提示データは、前記番組放送中に前記放送受信装置に表示されている特定マークであり、かつ、前記提示データ取得手段を、前記特定マークを撮影するための撮影手段として機能させることを特徴とする。
【００７１】
これによれば、放送画面に表示される「レイアウト」や「デザイン」に影響を与えることなく、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００７２】
上記課題を解決すべく、請求項２８に記載の発明は、請求項２７に記載の関連情報送信プログラムにおいて、前記特定マークは、前記番組放送を放送する放送局毎に設けられた放送局マーク、又は前記番組放送を特定するために各番組放送毎に設けられた番組マークであることを特徴とする。
【００７３】
これによれば、特定マークの数を極力減らすことができるため、データベースの容量を少なくすることができる。
【００７４】
上記課題を解決すべく、請求項２９に記載の発明は、請求項２８に記載の関連情報送信プログラムにおいて、前記記憶手段を、前記特徴情報と、前記関連情報と、前記放送時間と、を夫々の番組放送を放送する前記放送局を管理する放送事業者を他の放送事業者から識別するための放送事業者識別情報と対応付けて記憶するよう機能させ、かつ、前記コンピュータを、前記放送事業者識別情報と、前記放送局マーク又は前記番組マークと、前記関連情報と、前記放送時間と、の入力指示或いは更新指示を取得する取得手段として機能させ、前記特徴解析手段を、取得した前記放送局マーク又は前記番組マークの特徴を解析するよう機能させ、かつ、前記コンピュータを、前記取得手段によって取得した前記関連情報及び前記放送時間と、前記解析の結果得られた前記特徴情報と、を前記記憶手段に記憶された前記放送事業者識別情報のうち、前記取得手段によって取得した放送事業者識別情報と対応付けて前記記憶手段に記憶させる記憶制御手段として機能させることを特徴とする。
【００７５】
これによれば、放送事業者が放送局マークと関連情報を登録又は更新することができるため、利用者の所望する関連情報を的確に提供することができる。
【００７６】
更に、放送事業者が当該放送事業者を識別する放送事業者識別情報を入力し、放送事業者識別情報をキーとして新たな放送局マーク又は関連情報等を登録したり、或いはこれら放送局マーク又は関連情報と、放送時間等の更新を高セキュリティを維持して確実に行うことができる。
【００７７】
上記課題を解決すべく、請求項３０に記載の発明は、請求項２７乃至請求項２９のいずれか一項に記載の関連情報送信プログラムにおいて、前記特徴情報は、前記特定マークの色特徴情報、又はエッジ特徴情報、又はテクスチャ特徴情報の情報であって、前記関連情報は、前記番組放送中に放送される放送内容の情報、前記番組放送で紹介される情報に関する情報であることを特徴とする。
【００７８】
これによれば、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００７９】
上記課題を解決すべく、請求項３１に記載の発明は、請求項２４乃至請求項３０のいずれか一項に記載の関連情報送信プログラムにおいて、前記端末装置は、携帯電話、又は携帯情報端末であることを特徴とする。
【００８０】
これによれば、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【発明の効果】
【００８１】
本発明によれば、視聴する放送画面から、インターネット上のデータベース情報を検索し紐付けられた情報（コンテンツ所在情報や付加情報等）を取得でき、視聴者に放送と連動したインターネット上の関連情報を簡易な操作で提供することができる。
【００８２】
また、関連情報を取得する際に、時間情報を加味することによって、特定マークの数を極力減らすことができるため、データベースの容量を少なくすることができる。
【００８３】
更に、端末装置により、特徴解析を行うため、管理装置に送る情報が特徴解析後の特徴情報と時間情報のみでよいため管理装置に送信する情報量を少なくすることができる。
【発明を実施するための最良の形態】
【００８４】
以下、本発明の最良の実施形態を図面を用いて説明する。
【００８５】
（Ｉ）実施形態
実施形態は、本発明を番組放送として例えば、ドラマ、ニュース、ドキュメント等を視聴している際に利用する場合について説明する。具体的には、ドラマを視聴している視聴者（以下、単に「視聴者」という）が、ドラマに関する情報（以下、単に「関連情報」という）、例えば、ドラマの放送中に放送される放送内容の情報や、ドラマ放送で紹介される情報に関する情報、具体的には、ドラマ放送中に放送されるドラマの概要、ドラマに対する情報、感動のシーン等、キャストや原作者等の著作権情報等の情報を取得する際に適用する場合について説明する。
【００８６】
本発明の実施形態について、図１乃至図８を用いて説明する。
【００８７】
図１は、本発明の関連情報取得システムを説明するための概略図であり、図２は、本発明の関連情報取得システムにおける関連情報取得に際して携帯電話により放送局マークが撮影される際の概略図である。図３は、本発明の関連情報取得システムの概要構成を示すブロック図であり、図４は、本発明の管理装置の記憶部の細部構成を示すブロック図である。図５（ａ）（ｂ）（ｃ）はそれぞれ、関連情報登録画面を示す図であり、（ｄ）は、関連情報登録表示画面を示す図である。図６は、本発明の関連情報取得システムにおける関連情報取得を示すフローチャートであり、図７（ａ）は、カメラ機能アプリケーション起動時に携帯電話に表示される表示画面を示す概略図であり、（ｂ）（ｃ）はそれぞれ、携帯電話の表示画面に表示される表示画面を示す概略図である。図８は、本発明の管理装置の記憶部の細部構成を示すブロック図である。
【００８８】
［関連情報取得システム］
まず、本実施形態に係る関連情報取得システムＳについて、図１を用いて概念的に説明する。  
【００８９】
図１に示すように、当該関連情報取得システムＳは、電気信号にて送られる番組放送の画像や音声を再現放映する放送受信装置としてのテレビジョン１と、提示データ取得手段として特定マークを撮影するための撮影手段であるカメラ２５Aを備え、特徴解析手段と、特徴情報送信手段と、特定関連情報受信手段としての端末装置等の携帯電話２と、特定関連情報取得手段と、特定関連情報送信手段と、記憶手段と、取得手段と、記憶制御手段としてのサーバ等の管理装置３により構成されている。そして、携帯電話２、管理装置３はネットワークＸを介して互いに情報の授受が可能に接続されている。  
【００９０】
このような構成からなる本実施形態における関連情報取得システムＳでは、まず、図２に示すように、視聴者が、自己が所持する端末装置としての携帯電話２を用いて、テレビジョン１に映し出されるドラマの放送中に放送画面に表示（提示）されている提示データとしての特定マーク（例えば、放送局マーク「◎」）を撮影（取得）する。携帯電話２を用いて放送局マーク「◎」を撮影した後、撮影された放送局マーク「◎」の特徴を解析するために、携帯電話２によって特徴解析を行ない、取得した特徴情報と、ドラマの放送時間を特定するための時間を示す時間情報とを管理装置３に送信する。管理装置３は、携帯電話２により送信された特徴情報と時間情報とに基づいて、ドラマで放送されていた内容に関する関連情報を取得することができる。そして、この関連情報を携帯電話２に送信することによって、視聴者は所望の関連情報を取得することができる。
【００９１】
なお、特定マークとして上記は、放送局マーク「◎」を用いて説明しているが、特定マークとは、各番組放送中の放送画面に表示（提示）されている特定マークであって、番組を特定するために各番組毎に設けられている番組マークであってもよいし、それらの番組を放送している放送局を特定するために各放送局毎に設けられている放送局マークであってもよい。よって、特に限定されるものではないが、以下は、上記と同様に、特定マークを、各放送局を特定するために各放送局毎に設けられている放送局マークとして説明する。
【００９２】
ここで、利用者が撮影した放送局マークの特定解析を行うことにより得られた特徴情報と、時間情報に基づいて特定される関連情報を特定関連情報とするが、便宜上、特定関連情報を単に、「関連情報」として以下説明する。
【００９３】
次に、本発明の関連情報取得システムＳを構成する各部の構成及び機能について図を用いて詳細に説明する。
【００９４】
図３は、本発明の関連情報取得システムの概要構成を示すブロック図である。
【００９５】
〔携帯電話２の構成及び機能〕
携帯電話２は、視聴者に所持されているものである。携帯電話２は、このような実施形態に限定されることはなく、メール機能を有する携帯情報端末等であってもよい。
【００９６】
携帯電話２の構成及び機能について、図３を用いて説明する。
【００９７】
図３に示すように、実施形態に係る携帯電話２は、操作入力部２１と、表示手段としての表示部２２と、記憶部２３と、上記ネットワークＸに接続して管理装置３との間で各種情報の授受を行うための特徴情報送信手段、特定関連情報受信手段としての通信部２４と、提示データ取得手段としてのカメラ２５Ａを備えて構成された画像取得部２５と、特徴解析手段としての制御部２６と、を備えて構成されており、各部材はバスを介して相互に接続されている。
【００９８】
操作入力部２１は、携帯電話２に具備された数字キー等の各種操作キー等であって、視聴者が管理装置３に特徴情報を送信する際等に用いられ、当該操作に対応する入力情報Ｓopを生成して制御部２６へ出力する。
【００９９】
更に、操作入力部２１は、カメラ機能を有する携帯電話２に具備されたシャッター２５Ｂを備え、視聴者によりシャッター２５Ｂが押されると、カメラ２５Ａにより撮影されるべきタイミングを示す撮影指示情報Ｓｓを生成して制御部２６へ出力する。
【０１００】
表示部２２は、管理装置３より関連情報を受信する際等に通信部２４から制御部２６を介して表示情報Ｓdpとして受け取り、表示部２２に表示する。
【０１０１】
記憶部２３は、携帯電話２の表示部２２に表示すべき情報等を蓄積記憶し、必要に応じて蓄積記憶情報Ｓmとして制御部２６に出力すると共に、操作入力部２１における操作等により当該表示すべき情報が入力／更新されると、制御部２６を介して蓄積記憶情報Ｓmとして受け取り、蓄積記憶する。
【０１０２】
通信部２４は、ネットワークＸを介して管理装置３から例えば、関連情報等の必要な通信情報Ｓrを受信し制御部２６に出力したり、視聴者が操作入力部２１により特徴情報等の通信情報Ｓｒを送信するために制御部２６から出力されるものである。
【０１０３】
画像取得部２５は、利用者によりシャッター２５Ｂが押されると、撮影されるべきタイミングを示す撮影指示情報Ｓｓが制御部２６へ出力され、この撮影指示情報Ｓsに基づいて、携帯電話２に具備されたカメラ２５Ａにより画像が撮影され、当該カメラ２５Ａにより撮影された画像データを取得情報Ｓｋとして生成して制御部２６へ出力する。
【０１０４】
制御部２６は、上記通信情報Ｓr、入力情報Ｓop、及び蓄積記憶情報Ｓmを用いて、表示部２２に表示させるべき表示情報Ｓdpを生成し、表示部２２に出力して必要な表示を実行させたり、上記に示したように、関連情報等の必要な通信情報Ｓrを通信部２４を介して受信したり、視聴者が操作入力部２１により特徴情報等の通信情報Ｓrを生成し、通信部２４を介して管理装置３に対して通信を行う。更に、操作入力部２１より撮影指示情報Ｓsを受けると、撮影指示情報Ｓsをカメラ２５Ａに送信し、撮影を実行させる。
【０１０５】
ここで、制御部２６は特徴解析機能を有している。以下に、特徴解析機能について詳細に説明する。
【０１０６】
＜特徴解析機能＞
特徴解析機能とは、上記に示したように、ドラマ放送中に放送画面に表示されている放送局マークとしての「◎」の画像をカメラ２５Ａにより撮影し、画像処理部２５により、放送局マーク「◎」を画像データとして取り込み、取り込んだ画像データの特徴解析を行うことをいう。  
【０１０７】
具体的には、放送局マーク「◎」の画像データの特徴情報として、色特徴情報、エッジ（輪郭）特徴情報情報、及びテクスチャ（模様又はパターン）特徴情報の３種類の特徴情報の解析を行うことをいう。
【０１０８】
具体的に、色特徴情報とは、放送局マーク「◎」の画像データが画像に含まれる各画素についてその色が、赤、緑、青等のどの色に相当するものであるかを示す情報である。
【０１０９】
エッジ特徴情報とは、放送局マーク「◎」の画像データがどのような輪郭によって形作られたものであるかを示す情報である。
【０１１０】
テクスチャ特徴情報とは、放送局マーク「◎」の画像データがどのような模様またはパターンによって形作られたものであるかを示す情報である。
【０１１１】
〔管理装置３の構成及び機能〕
管理装置３の構成及び動作について、図３を用いて説明する。
【０１１２】
図３に示すように、実施形態に係る管理装置３は、入力部３１と、表示手段としての表示部３２と、記憶手段としての記憶部３３と、上記ネットワークＸに接続して携帯電話２との間で必要な情報の授受を行うための特定関連情報送信手段としての通信部３４と、特定関連情報取得手段としての制御部３５と、により構成されており、各部材はバスを介して相互に接続されている。
【０１１３】
入力部３１は、図示しないキーボード等に具備された数字キー等の各種操作キー等であって、管理者が管理装置３を操作する場合等に用いられ、当該操作に対応する入力情報Ｓopを生成して制御部３５へ出力する。
【０１１４】
表示部３２は、携帯電話２との間で情報を送受信する際に制御部３５を介して表示情報Ｓdpとして受け取り、表示部２２に表示する。
【０１１５】
通信部３４は、ネットワークＸを介して携帯電話２との間で情報を送受信する際に通信情報Ｓｒを受信し制御部３５に出力したり、通信情報Ｓｒを送信するために制御部３５から出力されるものである。
【０１１６】
記憶部３３は、管理装置３上の表示部３２に表示すべき情報等を蓄積記憶し、必要に応じて蓄積記憶情報Ｓmとして制御部３５に出力すると共に、入力部３１における操作により当該表示すべき情報が入力／更新されると、その更新された情報を制御部３５を介して蓄積記憶情報Ｓmとして受け取り、指定されたアドレスに蓄積記憶する。
【０１１７】
ここで、当該記憶部３３の細部構成について、図４を用いて説明する。なお、図４は、管理装置の記憶部の細部構成を示すブロック図であり、同図に示すように、記憶部３３は、特徴情報データベース３３Ａ、関連情報データベース３３Ｂ、により構成されている。
【０１１８】
＜特徴情報データベース３３Ａ＞
図４に示すように特徴情報データベース３３Ａは、色特徴情報、エッジ特徴情報、テクスチャ特徴情報が識別ＩＤに対応付けられて記憶されている。
【０１１９】
具体的に説明すると、上述した携帯電話２の制御部２６が有している特徴解析機能と同様に、管理装置３の制御部３５によって、各番組放送に提示される提示データとしての特定マーク（例えば、放送局マーク）の特徴情報として色特徴情報、エッジ特徴情報、テクスチャ特徴情報等が特徴解析され、その結果得られたそれぞれの各番組放送に提示される提示データの色特徴情報、エッジ特徴情報、テクスチャ特徴情報の特徴情報をそれぞれ識別情報としての識別ＩＤと対応付けて記憶させておくものとする。
【０１２０】
また、この放送局マークとは、各種番組放送を放送する放送局を管理する放送事業者を特定するためのものであって、例えば、「◎」「△」「◇」等と各放送事業者毎に異なるものであり、新たに放送局マークとして記憶部３３に登録（更新）する際には、放送事業者が入力した放送局マークに基づいて、制御部３５が有する上記の特徴解析機能によって特徴情報を抽出し、特徴情報データベース３３Ａに特徴情報と識別ＩＤを対応付けて登録（記憶）させるものとする。
【０１２１】
ここで、放送局マークを例えば、「◎」「△」「◇」等と表すことにより、放送画面に表示される「レイアウト」や「デザイン」に影響を与えず、視覚的に違和感なく放送局マークを表示することができる。
【０１２２】
なお、本実施形態においては、上記説明した如く、各放送局毎に１つの放送局マークを有し、当該放送局マーク毎に特徴情報が対応付けて記憶されている例について説明する。
【０１２３】
＜関連情報データベース３３Ｂ＞
図４に示すように、関連情報データベース３３Ｂは、番組放送の放送時間を示す開始時間と終了時間、関連情報、放送事業者が識別ＩＤに対応付けられて記憶されている。
【０１２４】
具体的に説明すると、識別ＩＤ「１１１」には放送事業者「ＮＮＮ」が対応付けられており、識別ＩＤ「２２２」には放送事業者「ＴＴＴ」が対応付けられている。
【０１２５】
更に、各識別ＩＤに対応付けられている放送事業者が放送している放送内容（番組放送）を特定するために、番組放送の放送時間を開始時間と終了時間を用いて区切り、それぞれの放送時間に放送されている放送内容に関する関連情報（すなわち、番組放送に関する関連情報）を対応付けて記憶している。
【０１２６】
例えば、図４に示す如く、「開始時間が１２時００分、終了時間が１３時００分」、「開始時間が１３時００分、終了時間が１４時００分」、「開始時間が１４時００分、終了時間が１５時００分」、と１時間毎に区切って放送事業者「ＮＮＮ」が放送する番組放送であるドラマを特定し、そのドラマに関する関連情報を対応付けてそれぞれ記憶しているものである。
【０１２７】
これにより、時間情報に基づいて、視聴者が番組放送中に表示されている放送局マークを撮影した時間が上記のどの放送時間の区分に含まれるかを検討することによって、どの番組放送に関する関連情報を所望しているかを特定することができ、その関連情報（特定関連情報）が視聴者に送信されることになる。
【０１２８】
なお、関連情報とは、例えば、番組放送中に放送される番組の概要、番組に対する情報、感動のシーン等やキャスト、原作者等の著作権情報等の情報であるが、本実施形態においては、関連情報の一例として上記各種情報が蓄積されている所在地（例えば、番組公式サイト等）を示すアドレス等のＵＲＬを用いて説明する。
【０１２９】
ここで、放送局マーク、関連情報等を新たに記憶部３３に登録（更新）する場合について説明する。
【０１３０】
（Ｉ）放送事業者端末を用いて登録（更新）を行う場合
ネットワークＸを介して図示しない放送事業者の所持するコンピュータ等の放送事業者端末（以下、単に「放送事業者端末」という）から管理装置３にアクセスし、放送事業者端末のモニタに図５（ａ）に示すような関連情報登録画面を表示させる。番組放送を放送する放送局を管理する放送事業者が、放送事業者端末のキーボード等を操作して放送事業者名「ＮＮＮ」と、放送事業者を他の放送事業者から識別するための放送事業者識別情報としての放送事業者識別ＩＤ（例えば、図５（ａ）に示す如くパスワード「＊＊＊＊」）を入力することによって、モニタに図５（ｂ）に示すような関連情報登録画面に操作メニューが表示される。そして、操作メニューに表示されている「情報登録」ボタンをクリックすると、図５（ｃ）に示すような関連情報登録画面がモニタに表示される。この関連情報登録画面により、放送事業者は、放送局マークとして使用する画像を放送時間と関連情報に対応付けて入力する（入力指示或いは更新指示）。このように、ネットワークＸを介して管理装置３に入力指示（或いは更新指示）が送信されると、管理装置３は、通信部３４を介して当該入力指示（或いは更新指示）を取得する（取得手段）。そして、受信した放送局マークを、制御部３５により特徴解析をし、特徴情報を抽出する。そして、特徴情報データベース３３Ａに、抽出された特徴情報を各放送事業者毎に対応付けて登録（記憶）し、関連情報データベース３３Ｂに、放送時間と関連情報と放送事業者毎に設けられた放送事業者ＩＤに対応付けて登録（記憶）するものとする（記憶制御手段）。
【０１３１】
そして、その後放送事業者が関連情報の登録、又は更新を確認する際には、上記と同様に、まず、ネットワークＸを介して放送事業者の所持する放送事業者端末から管理装置３にアクセスし、図示しない放送事業者端末の表示部に図５（ａ）に示すような関連情報登録画面を表示させる。番組放送を放送する放送局を管理する放送事業者が、放送事業者端末の図示しない入力部を操作して放送事業者名「ＮＮＮ」と、放送事業者を他の放送事業者から識別するための放送事業者識別情報（ここでは、パスワードとする）を入力することによって、図５（ｂ）に示すような関連情報登録画面に操作メニューが表示される。操作メニューに表示されている「登録（更新）状況表示」ボタンをクリックすると、図５（ｄ）に示すように、関連情報登録表示画面が表示され、登録表示画面により放送事業者が登録、又は更新した関連情報等を確認することができる。
【０１３２】
なお、本実施形態では、放送事業者毎に、当該放送事業者が管理する放送局を示す放送局マークを１つだけしかもたない一例について説明しているので、上記識別ＩＤ（例えば、「１１１」等）を放送事業者識別情報として説明する。
【０１３３】
（II）管理装置を用いて登録（更新）を行う場合
放送事業者や委任された者等が管理装置３の入力部３１を直接操作して入力し、登録（更新）を行ってもよい。
【０１３４】
具体的には、放送局マーク、関連情報等を新たに記憶部３３に登録（更新）する際に、まず、番組放送を放送する放送局を管理する放送事業者が管理装置３の入力部３１を操作して、表示部３２に図５（ａ）に示すような関連情報登録画面を立ち上げる。放送事業者が、管理装置３の入力部３１を操作して放送事業者名「ＮＮＮ」と、放送事業者を他の放送事業者から識別するための放送事業者識別情報（例えば、図５（ａ）に示す如くパスワード「＊＊＊＊」本実施形態では、上述した如く、識別ＩＤを用いることとする。）を入力することによって、表示部３２に図５（ｂ）に示すような関連情報登録画面に操作メニューが表示される。そして、操作メニューに表示されている「情報登録」ボタンをクリックすると、図５（ｃ）に示すような関連情報登録画面が表示部３２に表示される。この関連情報登録画面により、放送事業者は、放送局マークとして使用する画像を放送時間と関連情報に対応付けて入力して、入力指示（或いは更新指示）を取得する（取得手段）。入力された放送局マークは、制御部３５により特徴解析が行われ、特徴情報が抽出される。そして、特徴情報データベース３３Ａに、抽出された特徴情報が各放送事業者毎に対応付けて登録（記憶）され、関連情報データベース３３Ｂに、放送時間と関連情報と放送事業者毎に設けられた新たな放送事業者ＩＤに対応付けて登録（記憶）されるものとする（記憶制御手段）。
【０１３５】
そして、その後放送事業者が関連情報の登録、又は更新を確認する際には、上記と同様に、まず、表示部３２に図５（ａ）に示すような関連情報登録画面を立ち上げる。放送事業者名「ＮＮＮ」と、放送事業者を他の放送事業者から識別するための放送事業者識別情報（ここでは、パスワードとする）を入力することによって、図５（ｂ）に示すような関連情報登録画面に操作メニューが表示される。操作メニューに表示されている「登録（更新）状況表示」ボタンをクリックすると、図５（ｄ）に示すように、関連情報登録表示画面が表示され、登録表示画面により放送事業者が登録、又は更新した関連情報等を確認することができる。
【０１３６】
制御部３５は、上記通信情報Ｓr、入力情報Ｓop、及び記憶情報Ｓmを用いて、表示部３２に表示させるべき表示情報Ｓdpを生成し、表示部３２に出力して必要な表示を実行させたり、上記通信情報Ｓｒを生成し、通信部３４を介して携帯電話２に対して通信を行う。
【０１３７】
ここで、制御部３５は識別ＩＤ有無判断機能を有している。以下に、識別ＩＤ有無判断機能について詳細に説明する。
【０１３８】
＜識別ＩＤ有無判断機能＞
識別ＩＤ有無判断機能とは、放送局マークの特徴情報に対応付けられた識別ＩＤが、特徴情報データベース３３Ａに存在するか否かを判断する機能をいう。
【０１３９】
具体的には、視聴者によって撮影された番組放送中の放送画面に表示されている放送局マーク「◎」が、上述した携帯電話２の制御部２６の特徴解析機能によって特徴解析され、その結果得られた特徴情報に対応する識別ＩＤが管理装置３の特徴情報データベースに存在するか否かを判断するものである。
【０１４０】
ここで、上記したように放送局マークを特徴解析して得られた色特徴情報、エッジ特徴情報、およびテクスチャ特徴情報と同一の特徴情報が特徴情報データベース３３Ａに記憶されていれば、その特徴情報に対応する識別ＩＤが記憶されていることとなる。
【０１４１】
一方、放送局マークの色特徴情報、エッジ特徴情報、テクスチャ特徴情報と同一の特徴情報が特徴情報データベース３３Ａに記憶されていなければ、識別ＩＤは存在しないこととなる。
【０１４２】
更に、制御部３５は関連情報決定判断機能を有している。以下に、関連情報決定判断機能について詳細に説明する。
【０１４３】
＜関連情報決定判断機能＞
関連情報決定判断機能とは、視聴者の所望する関連情報を、携帯電話２により送信された識別ＩＤ、番組放送の放送時間を特定するための時間、例えば、放送局マークが撮影された時間を示す時間情報に基づいて一つに決定することをいう。
【０１４４】
具体的には、図４に示すように、関連情報データベース３３Ｂには、各識別ＩＤに対応して、番組放送の開始時間および終了時間、関連情報、放送事業者がそれぞれ記憶されている。ここで、識別ＩＤは、上述した特徴情報データベース３３Aにより、特徴情報に対応付けられた識別ＩＤである。
【０１４５】
例えば、特徴情報に対応付けられた識別ＩＤが「１１１」と決定された場合には、番組放送を放送している放送事業者は「ＮＮＮ」と決定される。更に、関連情報データベース３３Ｂには、例えば、識別ＩＤ「１１１」に対応する関連情報が３つ記憶されている。３つの識別ＩＤ「１１１」はそれぞれに異なる開始時間と終了時間によって示される放送時間が対応付けられているため、関連情報を一つに特定するために、視聴者が放送局マーク「◎」を撮影した時間を加味して、視聴者の所望する関連情報を一つに特定する。ここで、視聴者が放送局マークを撮影した時間が１２時５分であったとすると、識別ＩＤ「１１１」に対応する３つ関連情報のうち、１２時０分〜１３時０分の時間内に撮影されたものであるため、１２時５分に放送されていた放送内容に関する関連情報は、１２時０分〜１３時０分の時間に対応する関連情報（content ＵＲＬ）であるhttp://www.aaa.comであることが特定される。
【０１４６】
［関連情報取得処理］
次に、図６のフローチャートを用いて、関連情報取得システムＳにおける関連情報取得について説明する。
【０１４７】
図６は、関連情報取得システムにおける関連情報取得を示すフローチャートである。図６（Ａ）に示すフローチャートは、携帯電話２の制御部２６により実行され、図６（Ｂ）に示すフローチャートは、管理装置３の制御部３５により実行され、図６（Ｃ）に示すフローチャートは、図示しないコンテンツサーバ等の情報処理装置の制御部により実行される。
【０１４８】
まず、端末装置としての携帯電話２を用いて番組放送であるドラマの放送画面に表示されている提示データとしての放送局マークを、携帯電話２のカメラ機能を利用して撮影するために、図７（ａ）に示すように、視聴者が操作入力部２１を操作して携帯電話２のカメラ機能のアプリケーションを起動する（ステップＳ１１）。
【０１４９】
次に、視聴者が携帯電話２の操作入力部２１に備えたシャッター２５Ｂを押すなどして、携帯電話２を用いてドラマ放送中の放送画面に表示されている放送局マークを撮影する（ステップＳ１２）。
【０１５０】
すなわち、ドラマの画面に表示されている「◎」という放送局マークを実際に携帯電話２を用いて撮影する。
【０１５１】
このとき、放送時間を示す時間情報として撮影時刻を示す時間情報を取得し、制御部２６のＲＡＭ等に一時的に記憶しておく。
【０１５２】
次に、携帯電話２により放送局マーク「◎」を撮影した後、撮影された放送局マークの特徴を解析するために携帯電話２の制御部２６によって特徴解析が行われる（ステップＳ１３）。
【０１５３】
ここで、特徴解析とは上述したように、放送局マークの特徴がどのようなものであるか、具体的には、放送局マークの色特徴情報や、エッジ（輪郭）特徴情報や、テクスチャ（模様又はパターン）特徴情報等に解析することをいう（特徴解析の方法は、上述した［携帯電話の構成と機能］を参照。）。
【０１５４】
次に、携帯電話２により、放送局マーク「◎」の特徴解析が行われた後、特徴解析の結果として、放送局マークの色特徴情報、エッジ特徴情報、テクスチャ特徴情報等を含む特徴情報を管理装置３に送信する（ステップＳ１４）。
【０１５５】
次に、図６（Ｂ）のフローチャートに移行する。管理装置３は、携帯電話２により送信された特徴情報を受信することにより、（Ｂ）に示す処理を開始する。
【０１５６】
管理装置３は、携帯電話２により特徴情報を受信すると、特徴情報データベース３３Ａを検索し（ステップＳ２２）、当該特徴情報に対応する識別ＩＤが存在するか否かを判断する（ステップＳ２３）（識別ＩＤの有無の判断の方法は、上述した［管理装置の構成と機能］を参照。）。
【０１５７】
その結果、特徴情報に対応する識別ＩＤが存在しない場合（ステップＳ２３：識別ＩＤなし）には、管理装置３は、携帯電話２の表示部２２に特徴情報に対応する識別ＩＤが存在しない旨の画面を表示させるために、携帯電話２に図７（ｂ）に示すような表示画面を送信する（ステップＳ２４）。
【０１５８】
次に、図６（Ａ）のフローチャートに移行する。携帯電話２は、管理装置３により特徴情報に対応する識別ＩＤが存在しない旨の表示画面情報を受信したか否かを判断（ステップＳ１５）し、受信されていれば（ステップＳ１５：ＹＥＳ）、これに基づいて表示部２２は所定の表示処理を行い、特徴情報に対応する識別ＩＤが存在しない旨の表示画面を表示する（ステップＳ２１）（図７（ｂ）を参照。）。
【０１５９】
一方、ステップＳ２３において、特徴情報に対応する識別ＩＤが存在した場合（ステップＳ２３：識別ＩＤあり）には、識別ＩＤを特徴情報データベース３３Aから取得して携帯電話２に送信する（ステップＳ２５）。
【０１６０】
次に、図６（Ａ）のフローチャートに移行する。管理装置３により送信された識別ＩＤを受信すると（ステップＳ１６）、携帯電話２はブラウザを起動する（ステップＳ１７）。
【０１６１】
ブラウザが起動した後に、携帯電話２は、識別ＩＤと共に、ＲＡＭ等に記憶させておいた放送局マークの撮影時刻を示す時間情報を管理装置３に送信する（ステップＳ１８）。
【０１６２】
次に、図６（Ｂ）のフローチャートに移行する。管理装置３は、関連情報データベース３３Ｂを参照して、携帯電話２により受信した識別ＩＤと時間情報（ステップＳ２６）に基づいて対応する関連情報を検索する（ステップＳ２７）。そして、対応する関連情報を取得して携帯電話２に送信する（ステップＳ２８）（関連情報決定判断の方法は、上述した［管理装置の構成と機能］を参照。）。
【０１６３】
具体的には、図４に示すように、関連情報データベース３３Ｂには、識別ＩＤに対応付けられて、時間情報、関連情報、放送事業者等が記憶されている。ここで、識別ＩＤは、上述した特徴情報データベース３３Ｂにより、特定情報に対応付けられたＩＤである。
【０１６４】
例えば、上述したステップＳ２３及びステップＳ２５の処理において特徴情報に対応する識別ＩＤ「１１１」が取得される。取得された識別ＩＤ「１１１」は、携帯電話２に送信され、更に、その識別ＩＤ「１１１」と共に、時間情報が管理装置３に送信される。よって、まず、識別ＩＤ「１１１」により、ドラマを放送している放送事業者が「ＮＮＮ」であることが図４の関連情報データベース３３Ｂを参照して特定される。
【０１６５】
更に、ここで、関連情報データベース３３Ｂには、識別ＩＤ「１１１」に対応する関連情報が３つ記憶されている。３つの識別ＩＤ「１１１」はそれぞれに異なる開始時間と終了時間によって示される放送時間が対応付けられているため、関連情報を一つに特定するために、視聴者が放送局マーク「◎」を撮影した時間を加味して、視聴者の所望する関連情報を一つに特定する。ここで、視聴者が放送局マークを撮影した時間が１２時５分であったとすると、識別ＩＤ「１１１」に対応する３つ関連情報のうち、１２時０分〜１３時０分の時間内に撮影されたものであるため、１２時５分に放送されていた放送内容に関する関連情報は、１２時０分〜１３時０分の時間に対応する関連情報（content ＵＲＬ）であるhttp://www.aaa.comであることが特定される。
【０１６６】
管理装置３により関連情報が取得されると、関連情報を含むリダイレクト信号を携帯電話２に送信する（ステップＳ２８）。
【０１６７】
そして、図６（Ａ）のフローチャートに移行し、携帯電話２は、管理装置３により送信された関連情報を含むリダイレクト信号を受信すると、リダイレクト処理を開始する（ステップＳ１９）。
【０１６８】
リダイレクト処理とは、すなわち図６（Ｃ）に示すごとく、図示しないコンテンツサーバ等の装置が、携帯電話２より関連情報と共に送信されたレスポンス要求を受信すると、図６（Ｃ）のフローチャートに移行し、関連情報の内容が表示された表示画面を携帯電話２に送信するよう動作する（ステップＳ３２）。そして、これを受信した携帯電話２は、表示部２２に図７（ｃ）に示すような表示画面を表示する（ステップＳ２０）。
【０１６９】
なお、上記では、リダイレクト処理としたが、携帯電話２が関連情報としてのＵＲＬを取得した後に、関連情報の内容が表示された表示画面を取得する方法は特に限定されるものではなく、例えば、携帯電話２のブラウザ機能によって、手動でＵＲＬを入れてもいいし、メールで送信してもよく、現在用いられている方法のいずれも用いることができるものである。
【０１７０】
更に、実施形態において、提示データは放送局マークのような画像によるものとして説明したが、これは映像に限定されるものではなく、音声によるものであってもよい。その場合には、携帯電話２に音声録音器を内蔵し、あるいは、直接音声通信を行うことにより、音声を取得し、音声の特徴解析を行う。
【０１７１】
（II）変形形態
（１）１．時間情報取得のタイミング、２．時間情報を管理装置３に送信するタイミングについて
図６において、携帯電話２は、管理装置３により送信された識別ＩＤを受信すると（ステップＳ１６）、識別ＩＤと、携帯電話２により放送局マークが撮影された時間を示す時間情報を、管理装置３に送信し（ステップＳ１８）、管理装置３は、携帯電話２により送信された識別ＩＤ、放送局マークが撮影された時間を示す時間情報を受信する（ステップＳ２６）場合について説明したように、１．時間情報取得のタイミング、２．時間情報を管理装置３に送信するタイミングはそれぞれ、携帯電話２により特定マークが撮影された時間、携帯電話２が管理装置３により識別ＩＤを受信した時間である場合について説明した。しかし、この実施形態に限定されることはなく、例えば、以下のような形態であってもよい。
【０１７２】
Ａ：携帯電話により時間が取得される場合
１．時間情報取得のタイミング
例えば、携帯電話２で特徴情報を解析して特徴情報を管理装置３に送信する際の時間であってもよい。
【０１７３】
２．時間情報を管理装置３に送信するタイミング
携帯電話２で特徴情報を管理装置３に送信する際に時間を取得して、特徴情報と共に又は、単独に時間情報を送信することができる。
【０１７４】
時間情報を管理装置に送るタイミングは特に限定されないが、時間情報が取得されるタイミングは、携帯電話２により放送局マークが撮影された際の時間を時間情報として記憶させておくことが望ましい。放送局マークを撮影された時間に放送されていた番組放送に関する関連情報が、視聴者が望む情報であるからである。
【０１７５】
ここで、放送局マークを撮影だけ行っておいて、また後日に管理装置に送って関連情報を得ようと考えた場合には、放送局マークを撮影した時間に時間情報が取得される必要がある。これは、放送局マークを後日管理装置３に送信した際の時間であると、送信した時間には、視聴者の望む番組とは別の番組が放送されており、視聴者の真に望む情報を提供することができないものとなってしまう。
【０１７６】
従って、放送局マークが撮影され、その後すぐに特徴解析がなされ、管理装置３に送信されるよう構成すれば、撮影された時間でも受信された時間でも問題なく利用することができるのである。
【０１７７】
Ｂ：管理装置により時間情報が取得される場合
上記のように放送局マークが撮影され、その後すぐに特徴解析がなされ、管理装置に送信される場合には、時間情報としては撮影された時間に限定されず、管理装置に放送局マークの特徴情報が送信された時間であってもよい。
【０１７８】
（２）特徴解析について
上記に示した実施形態では、携帯電話２の特徴解析手段としての制御部２６により放送局マークの特徴解析が行われる場合について説明したが、この実施形態に限定されることはなく、携帯電話２の制御部２６には特徴解析手段を設けず、管理装置３の制御部３５に特徴解析手段を設け、管理装置３の制御部３５によって放送局マークの特徴解析を行ってもよい。
【０１７９】
上述した実施形態においては、携帯電話２の制御部２６の特徴解析手段によって特徴解析された放送局マークの特徴情報と、時間情報とを特徴情報送信手段としての通信部２４より管理装置３に送信していたが、管理装置３に特徴解析手段がある場合には、情報送信部としての通信部２４により管理装置３に放送局マークと時間情報を送信することとなる。
【０１８０】
携帯電話２より送信された放送局マークと時間情報を受信した管理装置３は、放送局マークの特徴を特徴解析手段としての制御部３５において解析を行い、解析の結果取得された放送局マークの特徴情報と、携帯電話２から送信された時間情報と、に基づいて関連情報を取得することができる。
【０１８１】
この場合、管理装置３に放送局マークの画像を送信したが、携帯電話２で放送局マークを撮影する際に、放送局マークがうまく撮影されておらず特徴解析が正しく行われない場合には、管理装置３は、携帯電話２にその旨の通知をし、もう一度放送局マークの画像を携帯電話２で取り直して管理装置３に送りなおす必要がある。
【０１８２】
（３）関連情報取得について
上記に示した実施形態では、携帯電話２の特徴解析手段としての制御部２６により放送局マークの特徴解析が行われ、特徴情報を管理装置３に送信して、送信された特徴情報に基づいて、管理装置３の記憶部３３に記憶されている関連情報を取得する場合について説明したが、この実施形態に限定されることはない。例えば、携帯電話２に記憶手段である記憶部２３を設け、当該携帯電話２から管理装置３にアクセスして、管理装置３の記憶部３３に記憶されている関連情報等の情報を取得し、携帯電話２の記憶部２３に保持するよう構成してもよい。つまり、上記実施形態にて説明した、特徴情報データベース３３Ａ及び関連情報データベース３３Ｂを携帯電話２に備えた記憶手段２３に備えるよう構成する。この場合には、携帯電話２にて、放送局マークを取得し、当該放送局マークについて上述した如く特徴解析を行い（特徴解析手段）、その結果得られた特徴情報に基づいて、携帯電話２の記憶部２３に記憶した上記各データベースを参照して関連情報を取得するよう構成すればよい。管理装置３に１度（或いは、番組再編成時に１回や、適宜データベース更新に対応した頻度）アクセスして、上記各データベースを取得すれば、それ以降、関連情報の取得時に毎回携帯電話２から管理装置３にアクセスすることなく、携帯電話２の制御操作のみで関連情報を取得することができるので、ネットワークに負荷の低減を図り、より迅速に所望の関連情報を取得することができる。
【０１８３】
（４）特定マークの付し方
上記に示した実施形態では、各放送局（各放送事業者が管理する）ごとに特定マークとしての放送局マークを所持する場合について説明したが、この実施形態に限定されることはなく、例えば、以下のような形態であってもよい。
【０１８４】
Ａ：各放送局ごと、あるいは各番組ごとに特定マークを１個もっている場合について
各放送局ごと、あるいは各番組ごとに特定マークを１個しかもたない場合には、関連情報データベース３３Ｂに記憶されている時間情報は、実施形態において１時間ごとに区切って放送時間に関する関連情報を対応付けた場合について説明したが、例えば、１分、５分刻み等の細かい時間で区切ってもよい。より細かい時間で放送時間を区切り、その放送時間に放送されている放送内容が特定されることによって、番組が放送されている時間帯のどのシーンに関する関連情報を視聴者が取得したいのかを決定することができ、視聴者の望む関連情報としてのＵＲＬを正しく提供することができる。
【０１８５】
Ｂ：各放送局ごとに１０個の特定マークをもっている場合について
（ａ）番組放送がショッピングチャンネルである場合において、ショッピングチャンネルで放送された商品情報についての関連情報を取得する場合
各番組は１０個の特定マークを例えば、ショッピングチャンネルＡで紹介する商品１０個にそれぞれ付ける。一方、放送局が同じで他の放送時間に放送される番組のショッピングチャンネルＢで紹介する商品１０個にもそれぞれ上記したものと同じ１０個のマークを付ける。このように放送局が同じで他の放送時間に放送される番組のショッピングチャンネルＡ、Ｂの商品に同じ１０個のマークをつけると、ショッピングチャンネルＡ、Ｂのうち、いずれのショッピングチャンネルで紹介された商品であるかの特定が困難であると考えられるが、それに時間情報を加味することにより、その商品がどの放送時間に放送されたショッピングチャンネルで紹介された商品であることが特定され、更に、１０個の特定マークにより、ショッピングチャンネルで紹介されたどの商品であるかを特定できることになる。
【０１８６】
よって、商品が特定されることにより、その商品に関する関連情報が正しく取得されることになり、各放送局に１０個の特定マークしか用意していない場合であっても、時間情報を加味することにより、どのショッピングチャンネルの中のどの商品であるかを一つに特定でき、視聴者がどの商品についての関連情報を望んでいるのかが特定されることになり、視聴者の望む関連情報を正しく提供することができる。
【０１８７】
（ｂ）番組放送がドラマである場合において、ドラマで放送された番組情報についての関連情報を取得する場合
各番組はその１０個の特定マークを例えば、１つの番組であるドラマの５分刻みごとに１０個のマークを付ける。放送局が同じで、他の放送時間に放送されるドラマにもそれぞれ同じ１０個のマークを付ける。
【０１８８】
上述したように、同じ１０個のマークではあるが、それに時間情報を加味して関連情報を判断することにより、各放送局に１０個の特定マークしか用意していない場合であっても、時間情報により、どのドラマであるか、更には、１０個のマークにより、その番組の中で予め設定されているドラマのどのシーンに付されたマークであるかを特定できることによって、ドラマのシーンが１つに特定でき、視聴者がどのドラマのシーンについての関連情報を望んでいるのかが特定されるので、視聴者の望む関連情報を正しく提供することができる。
【０１８９】
このように、１つの放送局が特定マークを複数もっている場合には、関連情報データベース３３Bに記憶されている時間情報は、特定マークを１個しかもたない場合の様に、細かい時間で区切らなくても、各特定マークごとに時間を区切って関連情報と対応付けることができる。
【０１９０】
すなわち、あるドラマの放送中に特定マークが時々刻々と変化し、視聴者はある任意のタイミングで特定マークを撮影（取得）し、取得した特定マークを管理装置に時間情報と共に返信することになる。
【０１９１】
なお、この場合には、上述した特徴情報データベース３３Ａには、放送局を管理する放送事業者を特定する放送事業者識別情報と、当該放送局が持っている複数の特定マーク毎の特徴情報と、当該特徴情報毎に対応付けられた識別ＩＤとが、各放送事業者識別情報に対応付けて記憶されることになる（図８参照。）。なお、放送局を管理する放送事業者を特定する放送事業者識別情報と、当該放送局が持っている複数の特定マーク毎の特徴情報と、当該特徴情報毎に対応付けられた識別ＩＤと、は、放送情報データベース等を別途設けて各放送事業者識別情報に対応付けて記憶してもよい。
【０１９２】
（５）特定マークの特徴情報について
上記に示した実施形態では、特定マークの特徴情報として色特徴情報、エッジ特徴情報、テクスチャ特徴情報として説明したが、これに限定されることはなく、圧縮画像の符号化情報に対する特徴量や、３次元特徴情報等を用いて特徴情報に基づく放送局マークを決定してもよい（詳しくは以下参照）。
【０１９３】
・圧縮画像の符号化情報に対する特徴量（「フラクタル符号に基づく構造的な類似性抽出手法の提案」電子情報通信学会技術報告,PRMU2001-285,p.105−112,2002.）
・３次特徴情報（「３次元形状の類似検索−３次元ウェーブレット変換による形状類似度の検討−」1999年度山梨大学工学部卒業論文予稿集）
【０１９４】
（６）特定マークの特徴情報と類似する特徴情報によって識別ＩＤを取得する場合について
特定マークの色特徴情報、エッジ特徴情報、テクスチャ特徴情報に対応付けられた識別ＩＤによって、関連情報を決定する場合について説明したが、この実施形態に限定されることはなく、例えば、特定マークの色特徴情報、エッジ特徴情報、テクスチャ特徴情報に類似する特徴情報に対応する識別ＩＤにより関連情報を決定することも可能である。
【図面の簡単な説明】
【０１９５】
【図１】本発明の関連情報取得システムを説明するための概略図である。
【図２】本発明の関連情報取得システムにおける関連情報取得に際して携帯電話により放送局マークが撮影される際の概略図である。
【図３】本発明の関連情報取得システムの概要構成を示すブロック図である。
【図４】本発明の管理装置の記憶部の細部構成を示すブロック図である。
【図５（ａ）】関連情報登録画面を示す図である。
【図５（ｂ）】関連情報登録画面を示す図である。
【図５（ｃ）】関連情報登録画面を示す図である。
【図５（ｄ）】関連情報登録表示画面を示す図である。
【図６】本発明の関連情報取得システムにおける関連情報取得を示すフローチャートである。
【図７】（ａ）は、カメラ機能アプリケーション起動時に携帯電話に表示される表示画面を示す概略図である。（ｂ）は、携帯電話に表示される表示画面を示す概略図である。（ｃ）は、携帯電話に表示される表示画面を示す概略図である。
【図８】本発明の管理装置の記憶部の細部構成を示すブロック図である。
【符号の説明】
【０１９６】
Ｓ・・・関連情報取得システム
１・・・テレビジョン
２・・・携帯電話
３・・・管理装置
Ｘ・・・ネットワーク
２１、３１・・・入力部
２２、３２・・・表示部
２３、３３・・・記憶部
２４、３４・・・通信部
２６、３５・・・制御部
２５・・・画像取得部
２５Ａ・・・カメラ
２５Ｂ・・・シャッター
３３Ａ・・・特徴情報データベース
３３Ｂ・・・関連情報データベース
【図１】
2006270869.tif 000003
【図２】
2006270869.tif 000004
【図３】
2006270869.tif 000005
【図４】
2006270869.tif 000006
【図５（ａ）】
2006270869.tif 000007
【図５（ｂ）】
2006270869.tif 000008
【図５（ｃ）】
2006270869.tif 000009
【図５（ｄ）】
2006270869.tif 000010
【図６】
2006270869.tif 000011
【図７】
2006270869.tif 000012
【図８】
2006270869.tif 000013